(57)【要約】【課題】防火性とりわけ耐飛び火性能に優れ、飛び火の熱で溶融樹脂が落滴したり貫通孔を生じたりする恐れがない防火性中空パネルと、この中空パネルを用いた防火性屋根構造を提供する。【解決手段】パネル表面層１ａとパネル裏面層１ｂとの間に、パネル長さ方向に貫通する多数の中空部１ｅが形成された合成樹脂製の中空パネル本体１と、この中空パネル本体のパネル裏面層１ｂに積層一体化された不燃性無孔層２とからなる防火性中空パネルＰとする。飛び火で中空パネル本体１が部分的に溶融しても溶融樹脂が不燃性無孔層２の上に溜まって落滴することがなく、防火性中空パネルＰの厚み全体を貫く貫通孔も生じないので、耐飛び火性能が向上する。防火性屋根構造は、上記の防火性中空パネルＰを複数枚並べて連結条材で連結し、屋根のフレーム材に取付けた構成とする。【選択図】図２
2009133101.tif 000002
【特許請求の範囲】
【請求項１】
パネル表面層とパネル裏面層との間に、パネル長さ方向に貫通する多数の中空部が形成された合成樹脂製の中空パネル本体と、この中空パネル本体のパネル裏面層に積層一体化された不燃性無孔層とからなることを特徴とする防火性中空パネル。
【請求項２】
中空パネル本体が透光性のパネルであり、不燃性無孔層が透光性の層である請求項1に記載の防火性中空パネル。
【請求項３】
不燃性無孔層が、樹脂を塗布もしくは含浸したガラス織布、又は、樹脂を塗布もしくは含浸したガラス不織布よりなる層である請求項１又は請求項２に記載の防火性中空パネル。
【請求項４】
中空パネル本体の長さ方向両端の開口が、封止部材によって、又は、パネル表面層とパネル裏面層の端部同士の融着によって、閉塞されている請求項１ないし請求項３に記載の防火性中空パネル。
【請求項５】
中空パネル本体の両側端に沿って、中空パネル本体の裏面側に突き出す中空凸条が形成されている請求項１ないし請求項４のいずれかに記載の防火性中空パネル。
【請求項６】
請求項１ないし請求項５のいずれかに記載の防火性中空パネルを複数枚並べて連結条材で連結し、屋根のフレーム材に取付けたことを特徴とする防火性屋根構造。
【請求項７】
請求項５に記載の防火性中空パネルを複数枚並べると共に、連結条材として、防火性中空パネルの中空凸条が嵌め込まれる凸条受部を中央仕切り板の両側に備えた連結条材を使用し、隣接する防火性中空パネルの中空凸条を連結条材の中央仕切り板両側の凸条受部に嵌め込んで防火性中空パネル同士を連結したことを特徴とする請求項６に記載の防火性屋根構造。
【請求項８】
連結条材の中央仕切り板の防火性中空パネルから上方へ突き出した突出部分にパネル押さえ材を被着し、パネル押さえ材の下端両側の押さえ片によって、連結された防火性中空パネルの側端縁を押さえたことを特徴とする請求項７に記載の防火性屋根構造。
【発明の詳細な説明】
【技術分野】
【０００１】
本発明は、防火性とりわけ耐飛び火性能に優れた防火性中空パネルと、この中空パネルを用いた防火性屋根構造に関する。
【背景技術】
【０００２】
近年、屋根葺き材として透光性の合成樹脂中空パネルを使用したトップライトなどの採光屋根を設ける家屋が増えてきた。けれども、合成樹脂中空パネルは、近隣家屋に火災が発生した場合、飛び火により溶融して穴があき、防火性に劣るという問題があった。
【０００３】
そのため、建築基準法に定める飛び火試験（財団法人  日本建築総合試験所  建築確認評定センターで行われる，方法書「４．１３屋根葺き材の飛び火性能試験・評価方法」）に合格する屋根構造が必要な場合には、合成樹脂中空パネルの下方にガラス板を配置することが提案されている（特許文献１）が、重量が大きいガラス板を屋根に設けることは耐震性の観点から問題があり、しかも、ガラス板は火災時の熱で破損し易いため破片が落下する危険性もある。
【０００４】
そこで、本出願人は、樹脂又はガラス表面材と不燃性開孔材を、上下に重ねて若しくは上下に間隔をあけて配置した屋根構造を提案した（特許文献２）。このような屋根構造であると、樹脂表面材が飛び火により溶融しても、溶融樹脂の大部分が不燃性開孔材で受け止められ、また、ガラス表面材が破損しても、その破片の大部分が不燃性開孔材で受け止められるので、落下の危険性は激減する。
【特許文献１】特開平７−３９５４号公報
【特許文献２】特開２００６−９７４６０号公報
【発明の開示】
【発明が解決しようとする課題】
【０００５】
しかしながら、上記特許文献２の屋根構造は、樹脂又はガラス表面材の下側に配置されるものが多数の開孔を有する不燃性開孔材であるため、飛び火によって溶融した溶融樹脂の一部が不燃性開孔材の開孔から落滴したり、小さなガラス破片が不燃性開孔材の開孔から落下する危険性は、多少なりとも残っており、まだ改良の余地があった。
【０００６】
本発明は上記事情の下になされたもので、その解決しようとする課題は、防火性とりわけ耐飛び火性能に優れ、飛び火の熱で溶融樹脂が落滴したり貫通孔を生じたりする恐れがない防火性中空パネルと、この中空パネルを用いた防火性屋根構造を提供することにある。
【課題を解決するための手段】
【０００７】
上記課題を解決するため、本発明に係る防火性中空パネルは、パネル表面層とパネル裏面層との間に、パネル長さ方向に貫通する多数の中空部が形成された合成樹脂製の中空パネル本体と、この中空パネル本体のパネル裏面層に積層一体化された不燃性無孔層とからなることを特徴とするものである。
【０００８】
そして、本発明に係る防火性屋根構造は、本発明の防火性中空パネルを複数枚並べて連結条材で連結し、屋根のフレーム材に取付けたことを特徴とするものである。
【０００９】
本発明の防火性中空パネルにおいては、中空パネル本体が透光性のパネルであり、不燃性無孔層が透光性の層であることが好ましい。また、不燃性無孔層は、樹脂を塗布もしくは含浸したガラス織布、又は、樹脂を塗布もしくは含浸したガラス不織布よりなる層であることが好ましい。そして、中空パネル本体の長さ方向両端の開口が、封止部材によって、又は、パネル表面層とパネル裏面層の端部同士の融着によって、閉塞されていることが好ましく、更に、中空パネル本体の両側端に沿って、中空パネル本体の裏面側に突き出す中空凸条が形成されていることが好ましい。
【００１０】
また、本発明の防火性屋根構造においては、中空凸条が両側端に沿って形成された上記の防火性中空パネルを複数枚並べると共に、連結条材として、防火性中空パネルの中空凸条が嵌め込まれる凸条受部を中央仕切り板の両側に備えた連結条材を使用し、隣接する防火性中空パネルの中空凸条を連結条材の中央仕切り板両側の凸条受部に嵌め込んで防火性中空パネル同士を連結することが好ましい。そして、連結条材の中央仕切り板の防火性中空パネルから上方へ突き出した突出部分にパネル押さえ材を被着し、パネル押さえ材の下端両側の押さえ片によって、連結された防火性中空パネルの側端縁を押さえることが好ましい。
【発明の効果】
【００１１】
本発明の防火性中空パネルのように、合成樹脂製の中空パネル本体のパネル裏面層に不燃性無孔層が積層一体化されていると、飛び火によって中空パネル本体の樹脂が部分的に溶融しても、裏面の不燃性無孔層は飛び火によって燃えたり孔があいたりしないので、この不燃性無孔層の上に溶融樹脂が溜まり、不燃性無孔層から落滴する恐れはなくなる。また、本発明の防火性中空パネルは、飛び火によって中空パネル本体に貫通孔が生じても、不燃性無孔層にまで孔があいて防火性中空パネルの厚み全体に亘る貫通孔を生じることがないので、充分な耐飛び火性能を備えている。
【００１２】
そして、中空パネル本体が透光性のパネルであり、不燃性無孔層が透光性の層である防火性中空パネルは、採光用の屋根葺き材として賞用され、更に、不燃性無孔層が樹脂を塗布もしくは含浸したガラス織布、又は、樹脂を塗布もしくは含浸したガラス不織布よりなる層である防火性中空パネルは、ガラス織布又はガラス不織布の量が２００ｇ／ｍ２程度と少なくても、飛び火によって燃えたり孔があいたりすることなく、確実に溶融樹脂の落滴を阻止できるので、例えば、不燃性無孔層として金属板などを使用する場合に比べると、防火性中空パネルの重量増加を大幅に抑えることができる。
【００１３】
また、中空パネル本体の長さ方向両端の開口が、封止部材によって、又は、パネル表面層とパネル裏面層の端部同士の融着によって、閉塞されている防火性中空パネルは、中空部の空気の流通がないため、火災時には燃焼の拡大を遅らせる効果があり、常時には断熱や結露防止の効果を発揮することができる。更に、中空パネル本体の両側端に沿って、中空パネル本体の裏面側に突き出す中空凸条が形成されている防火性中空パネルは、この中空凸条を利用して、後述するようにパネル同士を特定の連結条材で簡単かつ確実に連結できる利点がある。
【００１４】
一方、本発明の防火性屋根構造のように、上述した本発明の防火性中空パネルを複数枚並べて連結条材で連結し、屋根のフレーム材に取付けると、防火性中空パネルによって優れた耐飛び火性能が発揮されることは勿論であるが、これに加えて、前記特許文献２の屋根構造のように、表面材と不燃性開孔材を上下に重ねて又は上下に間隔をあけて、それぞれ配置、固定する必要がないため、施工性が向上するようになる。
【００１５】
特に、中空凸条が両側端に沿って形成された前記の防火性中空パネルを複数枚並べ、連結条材として凸条受部を中央仕切り板の両側に備えた連結条材を使用し、隣接する防火性中空パネルの中空凸条を連結条材の凸条受部に嵌め込んで防火性中空パネル同士を連結した防火性屋根構造は、防火性中空パネルの連結作業が簡単で確実に連結できるため、施工性が大幅に向上する利点がある。そして、連結条材の中央仕切り板の防火性中空パネルから上方へ突き出した突出部分にパネル押さえ材を被着し、パネル押さえ材の下端両側の押さえ片によって、連結された防火性中空パネルの側端縁を押さえた防火性屋根構造は、強風時に防火性中空パネルに負圧が作用したとしても、パネル押さえ材によって中空パネルの浮き上がりが阻止されるので、中空パネル両側端の中空凸条が連結条材から外れる心配がなくなり、また、パネル押さえ材の押さえ片と防火性中空パネルの側端縁との間に防水パッキンを挟めば、雨水が中空パネル相互の連結部分から連結条材の凸条受部に侵入するのを防止することも可能となる。
【発明を実施するための最良の形態】
【００１６】
以下、図面を参照して本発明の具体的な実施形態を詳述する。
【００１７】
図１は本発明の一実施形態に係る防火性中空パネルの部分斜視図、図２は図１のＤ−Ｄ線拡大断面図、図３は同防火性中空パネルの端部拡大縦断面図である。
【００１８】
この防火性中空パネルＰは、図２，図３に示すように、透光性を有する合成樹脂製の中空パネル本体１と、この中空パネル本体１のパネル裏面層１ｂに積層一体化された不燃性無孔層２とからなる。
【００１９】
中空パネル本体１は、パネル表面層１ａとパネル裏面層１ｂを、パネル長さ方向一端から他端まで延びる互いに平行な複数のリブ１ｃを介して連結すると共に、パネル表面層１ａとパネル裏面層１ｂとの間に薄い中間層１ｄを複数層（本実施形態では２層）設け、これらのパネル表面層１ａ、パネル裏面層１ｂ、リブ１ｃ、中間層１ｄによって囲まれた多数のパネル長さ方向に貫通する中空部１ｅをパネル表面層１ａとパネル裏面層１ｂとの間に形成したものである。
【００２０】
中空パネル本体１の各部の寸法は特に限定されないが、中空パネルの本来の軽量性等の長所を損なわないで屋根葺き材としての実用的な強度を付与するためには、パネル表面層１ａ、パネル裏面層１ｂ、リブ１ｃの厚みを０．２〜２ｍｍ程度とし、リブ１ｃの相互間隔を１０〜４０ｍｍ程度とし、中空パネル本体１の全体の厚みを５〜３０ｍｍ程度とし、中間層１ｄの厚さを０．０５〜０．２ｍｍ程度とし、中間層１ｄの層数を１〜４層程度とすることが好ましい。なお、中間層１ｄは省略してもよい。
【００２１】
この中空パネル本体１の両側端には、中空パネル本体１の裏面側に突き出す中空凸条１ｆがパネル長さ方向一端から他端まで形成されている。この中空凸条１ｆは、中空パネル本体１の撓み強度を高めると共に、パネル連結作業を容易かつ確実に行うために設けられたものであって、後述するように、連結条材７の中央仕切り板両側の凸条受部７ｂに嵌まり込む寸法の脚形に形成されている。
【００２２】
中空パネル本体１の材料樹脂としては、ポリカーボネート、ポリエチレンテレフタレートその他のエステル系樹脂、ポリエチレン、ポリプロピレンその他のオレフィン系樹脂、ポリ塩化ビニルその他のビニル系樹脂、ポリメチルメタクリレートその他のアクリル系樹脂など、種々の熱可塑性合成樹脂を使用することができるが、その中でも、透光性、耐候性、熱変形性（加工性）などに優れたポリカーボネートが特に好ましく使用される。
【００２３】
中空パネル本体１のパネル裏面層１ｂに積層一体化される不燃性無孔層２は、飛び火によって中空パネル本体１が部分的に溶融しても、溶融樹脂の落滴を防止する共に、防火性中空パネルＰの厚み全体に亘る貫通孔が生じないようにして、耐飛び火性能を高める役目を果たすものである。斯かる不燃性無孔層２としては、金属プレート、金属箔、ガラス繊維シート、カーボン繊維シート、不燃紙などが使用可能であるが、採光用の軽量な屋根葺き材として使用される防火性中空パネルを得るためには、透光性のガラス繊維シートが適しており、その中でも、樹脂を塗布もしくは含浸したガラス織布、又は、樹脂を塗布もしくは含浸したガラス不織布が好ましく使用される。塗布もしくは含浸させる樹脂は、熱硬化性、熱可塑性（例えばエステル系、アクリル系）を問わずどのような樹脂でもよいが、好ましくは自消性、難燃性の樹脂（例えば塩化ビニル系、フッ素系、アミド系等の樹脂、あるいは、リン系等の難燃剤を含む樹脂など）、更に好ましくはシリコーン系樹脂のような耐火性の樹脂が使用される。このような樹脂を塗布もしくは含浸したガラス織布やガラス不織布は、パネル裏面層１ｂに貼着することによって剥離しないように簡単且つ確実に積層一体化することができ、しかも、ガラス織布やガラス不織布の量を２００ｇ／ｍ２程度と少なくし、塗布もしくは含浸する樹脂を３０ｇ／ｍ２程度と少なくして、不燃性無孔層２を薄肉軽量化しても、飛び火によって燃えたり孔があいたりすることなく、確実に溶融樹脂の落滴を阻止できる利点がある。本発明にいう「不燃性無孔層」とは、中空パネル本体１の溶融した樹脂の落滴を防止することが困難な孔が存在しない層を意味しており、従って、溶融した樹脂の落滴を十分阻止できるほど細かい網目を有する金属メッシュ（例えばステンレスメッシュ）等からなる層は、本発明にいう「不燃性無孔層」に包含される。
【００２４】
この防火性中空パネルＰの長さ方向両端には、図１，図３に示すように、封止部材３が設けられており、この封止部材３によって中空パネル本体１の長さ方向両端の開口が閉塞されている。封止部材３としては、アルミテープ等の金属テープが好ましく使用される。このように中空パネル本体１の両端の開口が封止部材３で閉塞され、中空部１ｅの空気の流通が阻止されていると、断熱効果や結露防止効果が発揮されるだけでなく、火災時の熱で中空パネル本体１から発生した可燃性成分（気体や液体）が、中空パネル本体１の中空部１ｅを通じて端部に到達したときに周囲の空気中の酸素と熱で発火するのを抑制し、燃焼の拡大を遅らせる効果があるので好ましい。
【００２５】
この防火性中空パネルＰは、上記のように封止部材３で中空パネル本体１の両端の開口を閉塞しているが、図４に示す防火性中空パネルＰ１のように、パネル裏面層１ｂの長さ方向両端の端縁部１ｇをパネル表面層１ａに接近する方向に鈍角に折り曲げ、パネル表面層１ａとパネル裏面層１ｂの端部同士を融着、接合することによって、中空パネル本体１の端部開口を閉塞してもよい。
【００２６】
このように融着により端部開口を閉塞した中空パネル本体１は、例えば、次の方法、即ち、長尺の中空の原料パネルを、そのパネル裏面層１ｂを上側にして支持台上に固定し、原料パネルの長さ方向中間部の少なくとも一箇所と両端部を、下部がＶ形断面形状を有する熱圧着具で上側から熱圧着して熱圧着と同時に原料パネルを熱圧着箇所で幅方向に溶断する方法により、簡単に得ることができる。
【００２７】
次に、図５〜図１１を参照して、上記の防火性中空パネルＰを用いた本発明の防火性屋根構造を説明する。
【００２８】
図５は上記の防火性中空パネルＰを用いた本発明の一実施形態に係る防火性屋根構造の平面図、図６は図５のＡ−Ａ線拡大部分断面図、図７は同防火性屋根構造に用いる連結条材とパネル押さえ材の断面図、図８は図５のＢ−Ｂ線概略断面図、図９は図８の円（ａ）で囲んだ部分の拡大図、図１０は図８の円（ｂ）で囲んだ部分の拡大図、図１１は図５のＣ−Ｃ線拡大部分断面図である。
【００２９】
この防火性屋根構造は、上記の防火性中空パネルを用いて、図５，図８に示すような防火性トップライトを構築する場合を例示したものである。即ち、図８に示すように、屋根の開口部４の周囲には、方形の枠フレーム５が複数の支持材６に支持されて若干の勾配をもって一段高く取付けられており、この方形の枠フレーム５には、連結条材７で連結された上記の防火性中空パネルＰが水切り材８を介して取付けられている。
【００３０】
この水切り材８は、図９，図１０，図１１に示すように、水平板部８ａと、この水平板部８ａの内側端から立ち上がる起立板部８ｂと、この水平板部８ａの外側端から垂れ下がる垂下板部８ｃとを備えたアルミニウム型材からなるものであり、水平板部８ａが枠フレーム５に重ねられてビス９ａで固定されている。この水切り材８の起立板部８ｂには、連結条材７を嵌め込む凹部（図には表れていない）が形成されており、図９，図１０に示すように、連結条材７の両端近傍部が上記凹部に嵌め込まれてＬ形金具１０とビス９ｂで固定されている。そして、起立板部８ｂの上端縁には防水パッキン１１が被着され、この防水パッキン１１が防火性中空パネルＰの裏面の不燃性無孔層２に当接して雨水の侵入を防止している。
【００３１】
連結条材７は、図６，図７に示すように、中央仕切り板７ａの両側に防火性中空パネルＰの中空凸条１ｆが嵌め込まれる凸条受部７ｂを備えた、断面形状が略「山」字形のアルミニウム型材からなるものであって、中央仕切り板７ａの上端部７ｃは「Ｔ」字形の断面形状を備えている。そして、中央仕切り板７ａの下端には、後述する押縁材１４を取付けるビス９ｃがねじ込まれる筒部７ｄが形成されており、この筒部７ｄの上方には、防火性中空パネルＰの中空凸条１ｆを支える支持片７ｅが中央仕切り板７ａから両側へ突設されている。また、この連結条材７の左右側壁部７ｆの上端には、防火性中空パネルＰの側端部を支える支持片７ｇが内側に向かって突設されており、この支持片７ｇの先端部は、防火性中空パネルＰの中空凸条１ｆを凸条受部７ｂに嵌め込み易くするために、斜め下方へ屈曲されている。
【００３２】
防火性中空パネルＰの連結は、図６に示すように、双方の中空パネルＰの中空凸条１ｆを連結条材７の中央仕切り板７ａの両側の凸条受部７ｂに嵌め込むと共に、中央仕切り板７ａの防火性中空パネルＰから上方へ突き出した突出部分（Ｔ形の上端部７ｃ）に、アルミニウム型材からなるパネル押さえ材１２を長さ方向にスライドさせながら上方に離脱不能に被着し、このパネル押さえ材１２の下端両側の押さえ片１２ａで双方の防火性中空パネルＰの側端縁を上方から押さえることによって行われており、この押さえ片１２ａと防火性中空パネルＰの側端縁のパネル表面層１ａとの間には防水パッキン１３が挟み込まれている。従って、強風時に防火性中空パネルＰに負圧が作用しても、パネル押さえ材１２によって中空パネルＰの浮き上がりが阻止されるので、中空パネル両側端の中空凸条１ｆが連結条材７の凸条受部７ｂから上方に抜け出す心配がなく、また、防水パッキン１３によって防火性中空パネルＰの連結部分から雨水が連結凸条７の凸条受部７ｂに侵入する心配もない。
【００３３】
連結条材７の中央仕切り板７ａの両端部は、連結条材７の左右側壁部７ｆと同じ高さにカットされており、これに対応して、図９，図１０に示すようにパネル押さえ材１２の両端部の下半部もカットされている。そして、このカットされた部分に、略逆Ｌ字形断面形状を有するアルミニウム型材からなる押縁材１４の上板部１４ａを挿入して防火性中空パネルＰの前後端縁を押さえると共に、この押縁材１４の縦板部１４ｂを、連結条材７の前記筒部７ｄにねじ込んだビス９ｃで連結条材７の前後の端面にスペーサ１５を介して取付けることによって、防火性中空パネルＰの前後の端仕舞処理が行われている。更に、押縁材１４の縦板部１４ｂの下端部と前記水切り材８の垂下板部８ｃとの間には防水パッキン１６が詰められており、雨水が縦板部１４ｂと垂下板部８ｃの間から吹き込まないようになっている。
【００３４】
一方、防火性中空パネルＰの側端の端仕舞処理は、図１１に示すように、中央仕切り板７ａを側壁部７ｆの高さにそろえて切断した連結条材７０を用いて、防火性中空パネルＰの側端の中空凸条１ｆを該連結凸条７０の中央仕切り板７ａより外側の凸条受部７ｂに嵌め込み、防火性中空パネルＰの側端縁のパネル表面層１ａを防水パッキン１７を介して押縁材１４の上板部１４ａで上方から押さえると共に、押縁材１４の縦板部１４ｂをビス９ｃで連結条材７の側壁部７ｆに固定することによって行われている。そして、押縁材１４の縦板部１４ｂの下端部と水切り材８の垂下板部８ｃとの間には、上記と同様に防水パッキン１６が詰められ、雨水が縦板部１４ｂと垂下板部８ｃとの間から吹き込まないようになっている。
【００３５】
尚、図８において、１７は開口部４を取り囲む台枠材、１８は折版屋根材であり、また、図８〜図１１において、１９は方形の枠フレーム５にビスで固定された水切り材である。
【００３６】
以上のような構造のトップライトは、透光性の中空パネル本体１のパネル裏面層１ｂに透光性の不燃性無孔層２を積層一体化した防火性中空パネルＰを屋根葺き材として使用するため、常時は良好な採光性を発揮し、一方、近隣家屋の火災時に飛び火によって中空パネル本体１が部分的に溶融しても、溶融樹脂が不燃性無孔層２の上に溜まって落滴することがなく、また、防火性中空パネルＰの厚み全体に亘る貫通孔が生じることもないので、優れた耐飛び火性能を発揮する。特に、中空パネルＰの端部開口を閉塞したものは、燃焼の拡大を抑えることができるので、防火性が更に向上する。しかも、このトップライトは、使用する防火性中空パネルＰが軽量で取扱い易い上に、中空パネル本体１と不燃性無孔層２を別々に枠フレーム５に取り付ける必要がなく、既述したように連結条材７を用いて簡単に連結でき、前後端の端仕舞処理や側端の端仕舞処理も既述したように簡単に行えるので、施工性に優れており、また、連結部分や端仕舞処理した部分から雨水が侵入することもないので、防水性にも優れているなど、多くの効果を奏する。
【００３７】
尚、厚み１６ｍｍ、質量２．９ｋｇ／ｍ２のポリカーボネート樹脂製の中空パネル本体のパネル裏面層に、両面をシリコーン系樹脂で塗装した質量２３０．２ｇ／ｍ２の平織りのガラス織布［シリコーン系樹脂（固形分）３２．２ｇ／ｍ２、ガラス織布１９８ｇ／ｍ２］からなる不燃性無孔層を積層一体化した防火性中空パネルについて、財団法人  日本建築総合試験所  建築確認評定センターに、当該財団法人が制定した「防耐火性能試験・評価業務方法書」の「４．１３屋根葺き材の飛び火性能試験・評価方法」に基づく屋根葺き材飛び火性能試験を依頼したところ、「技術的基準に適合」という評価結果が得られ、本発明の防火性中空パネルが基準に適合する耐飛び火性能を有するものであることが証明された。
【図面の簡単な説明】
【００３８】
【図１】本発明の一実施形態に係る防火性中空パネルの部分斜視図である。
【図２】図１のＤ−Ｄ線拡大断面図である。
【図３】同防火性中空パネルの端部拡大縦断面図である。
【図４】本発明の他の実施形態に係る防火性中空パネルの部分拡大縦断面図である。
【図５】本発明の一実施形態に係る防火性中空パネルを用いた防火性屋根構造の平面図である。
【図６】図５のＡ−Ａ線拡大部分断面図である。
【図７】同防火性屋根構造に用いる連結条材とパネル押さえ材の断面図である。
【図８】図５のＢ−Ｂ線概略断面図である。
【図９】図８の円（ａ）で囲んだ部分の拡大図である。
【図１０】図８の円（ｂ）で囲んだ部分の拡大図である。
【図１１】図５のＣ−Ｃ線拡大部分断面図である。
【符号の説明】
【００３９】
１    中空パネル本体
１ａ  パネル表面層
１ｂ  パネル裏面層
１ｃ  リブ
１ｄ  中間層
１ｅ  中空部
１ｆ  中空凸部
２    不燃性無孔層
３    金属テープ（封止部材）
５    枠フレーム（フレーム材）
７，７０  連結条材
７ａ  中央仕切り板
７ｂ  凸条受部
７ｃ  中央仕切り板のＴ字形の上端部（突出部分）
７ｄ  ビスがねじ込まれる筒部
８，１９  水切り材
１２  パネル押さえ材
１２ａ  押さえ片
１４  押縁材
Ｐ，Ｐ１  防火性中空パネル
【図１】
2009133101.tif 000003
【図２】
2009133101.tif 000004
【図３】
2009133101.tif 000005
【図４】
2009133101.tif 000006
【図５】
2009133101.tif 000007
【図６】
2009133101.tif 000008
【図７】
2009133101.tif 000009
【図８】
2009133101.tif 000010
【図９】
2009133101.tif 000011
【図１０】
2009133101.tif 000012
【図１１】
2009133101.tif 000013